(57)【要約】【課題】複数の光ケーブルをより確実に曲げ状態でワイヤーハーネスに支持すること。【解決手段】第１曲げ部材２０は、複数の光ケーブル２のうちの１本を曲げた状態で引掛可能な第１引掛面２５を有する第１引掛部２２と、ワイヤーハーネスＷＨに対して固定可能な固定部２８と、第１連結部３６とを有し、第２曲げ部材４０は、複数の光ケーブル２のうちの他の１本を曲げた状態で引掛可能な第２引掛面４５を有する第２引掛部４２と、第２連結部５２とを有し、第１連結部３６と第２連結部５２とは、第１曲げ部材２０と第２曲げ部材４０とを連結方向Ｃに位置調節可能に連結可能に形成されている。【選択図】図１
2012145801.tif 000002
【特許請求の範囲】
【請求項１】
複数の光ケーブルを曲げた状態でワイヤーハーネスに支持可能な光ケーブル曲げ支持部材であって、
第１曲げ部材と第２曲げ部材とを備え、
前記第１曲げ部材は、
前記複数の光ケーブルのうちの１本を曲げた状態で引掛可能な第１引掛面を有する第１引掛部と、
前記ワイヤーハーネスに対して固定可能な固定部と、
第１連結部とを有し、
前記第２曲げ部材は、
前記複数の光ケーブルのうちの他の１本を曲げた状態で引掛可能な第２引掛面を有する第２引掛部と、
前記第１連結部と連結可能な第２連結部とを有し、
前記第１連結部と前記第２連結部とは、前記第１曲げ部材と前記第２曲げ部材とを連結方向に位置調節可能に連結可能に形成されている、光ケーブル曲げ支持部材。
【請求項２】
請求項１に記載の光ケーブル曲げ支持部材であって、
前記第１連結部及び前記第２連結部の一方は、前記連結方向に並ぶ複数の被係止部を有し、
前記第１連結部及び前記第２連結部の他方は、前記複数の被係止部に対して選択的に係止可能な係止部を有している、光ケーブル曲げ支持部材。
【請求項３】
請求項１又は請求項２に記載の光ケーブル曲げ支持部材であって、
前記第２連結部は、前記第２引掛部から、前記連結方向一方側に延出するように形成され、
前記第１引掛部は、前記第２連結部を挿入可能な第１案内部を有し、
前記第１連結部は、前記第１案内部内に挿入される前記第２連結部と連結可能に形成されている、光ケーブル曲げ支持部材。
【請求項４】
請求項１〜請求項３のいずれか一項に記載の光ケーブル曲げ支持部材であって、
前記第１引掛部は、前記連結方向において、他方側端部が前記第２引掛部の一方側端部の形状に対応した形状に形成されている、光ケーブル曲げ支持部材。
【請求項５】
請求項１〜請求項４のいずれか一項に記載の光ケーブル曲げ支持部材であって、
複数の前記第２曲げ部材を備え、
複数の前記第２曲げ部材は、複数の前記第２曲げ部材のうちの１つと他の１つとを前記連結方向に位置調節可能に、前記第２連結部と連結可能に形成されている第３連結部を有している、光ケーブル曲げ支持部材。
【請求項６】
請求項５に記載の光ケーブル曲げ支持部材であって、
複数の前記第２曲げ部材の第２引掛部は、前記連結方向において、他方側端部が一方側端部の形状に対応した形状に形成されている、光ケーブル曲げ支持部材。
【請求項７】
請求項１〜請求項６のいずれか一項に記載の光ケーブル曲げ支持部材であって、
前記固定部は、前記第１引掛部から、前記連結方向一方側に向けて延出する板状に形成されている、光ケーブル曲げ支持部材。
【発明の詳細な説明】
【技術分野】
【０００１】
光ケーブルを含むワイヤーハーネスの組立技術に関する。
【背景技術】
【０００２】
光ケーブルは、信号伝送用にワイヤーハーネスと共に自動車等に敷設されることがある。自動車に敷設される光ケーブルは、ワイヤーハーネスの組立作業時に、組立図板上でワイヤーハーネスと一緒に配索経路上に布線される。そして、光ケーブルは、ワイヤーハーネス配索経路上で曲げ、折り返し（Ｕターン）等される。
【０００３】
特許文献１には、光ケーブルを許容曲げ半径より小さい曲げ半径で曲げることを防止するための屈曲治具が開示されている。この屈曲治具は、延在方向両端部から延在方向中央部に向かって先細り形状に形成され、延在方向中央部が円筒状に形成された円筒部を有している。そして、この円筒部に光ケーブルを沿わせることにより、許容値以下で屈曲させないようにすることができる。また、特許文献１には、屈曲治具を他の屈曲治具と延在方向に連結して２つの円筒部を有する治具を構成し、複数の光ケーブルを屈曲することも記載されている。
【先行技術文献】
【特許文献】
【０００４】
【特許文献１】特開２００１−２１５３３９号公報
【発明の概要】
【発明が解決しようとする課題】
【０００５】
ところで、光ケーブル（光ケーブル）は、組立図板上における布線作業性の向上及び取り回しによる長さ不足を防ぐため、実寸法が予め設定された最小寸法より長くなるように、最小寸法より大きい基準寸法を基準として寸法公差が設定されて製造されることもある。そして、このような光ケーブルがワイヤーハーネスに沿って複数配索される場合に、特許文献１の複数の円筒部を有する屈曲治具をワイヤーハーネスの一部に固定して用いることができる。もっとも、特許文献１の屈曲治具では、各光ケーブルを円筒部に沿わせて曲げるため、曲げ対象となる複数の光ケーブルの相対的な寸法差が一定であることが必要である。
【０００６】
しかしながら、曲げ対象となる複数の光ケーブルは、最小寸法と実寸法との差により、曲げ箇所において曲げ経路に対する余長がそれぞれ異なることがある。このため、特許文献１の屈曲治具では、１本の光ケーブルを基準として他の光ケーブルを曲げようとすると、当該他の光ケーブルが円筒部に対して弛んだ状態となって、屈曲部材から外れてしまう恐れがある。
【０００７】
そこで、本発明は、複数の光ケーブルをより確実に曲げ状態でワイヤーハーネスに支持することを目的とする。
【課題を解決するための手段】
【０００８】
第１の態様は、複数の光ケーブルを曲げた状態でワイヤーハーネスに支持可能な光ケーブル曲げ支持部材であって、第１曲げ部材と第２曲げ部材とを備え、前記第１曲げ部材は、前記複数の光ケーブルのうちの１本を曲げた状態で引掛可能な第１引掛面を有する第１引掛部と、前記ワイヤーハーネスに対して固定可能な固定部と、第１連結部とを有し、前記第２曲げ部材は、前記複数の光ケーブルのうちの他の１本を曲げた状態で引掛可能な第２引掛面を有する第２引掛部と、前記第１連結部と連結可能な第２連結部とを有し、前記第１連結部と前記第２連結部とは、前記第１曲げ部材と前記第２曲げ部材とを連結方向に位置調節可能に連結可能に形成されている。
【０００９】
第２の態様は、第１の態様に係る光ケーブル曲げ支持部材であって、前記第１連結部及び前記第２連結部の一方は、前記連結方向に並ぶ複数の被係止部を有し、前記第１連結部及び前記第２連結部の他方は、前記複数の被係止部に対して選択的に係止可能な係止部を有している。
【００１０】
第３の態様は、第１又は第２の態様に係る光ケーブル曲げ支持部材であって、前記第２連結部は、前記第２引掛部から、前記連結方向一方側に延出するように形成され、前記第１引掛部は、前記第２連結部を挿入可能な第１案内部を有し、前記第１連結部は、前記第１案内部内に挿入される前記第２連結部と連結可能に形成されている。
【００１１】
第４の態様は、第１〜第３のいずれか一態様に係る光ケーブル曲げ支持部材であって、前記第１引掛部は、前記連結方向において、他方側端部が前記第２引掛部の一方側端部の形状に対応した形状に形成されている。
【００１２】
第５の態様は、第１〜第４のいずれか一態様に係る光ケーブル曲げ支持部材であって、複数の前記第２曲げ部材を備え、複数の前記第２曲げ部材は、複数の前記第２曲げ部材のうちの１つと他の１つとを前記連結方向に位置調節可能に、前記第２連結部と連結可能に形成されている第３連結部を有している。
【００１３】
第６の態様は、第５の態様に係る光ケーブル曲げ支持部材であって、複数の前記第２曲げ部材の第２引掛部は、前記連結方向において、他方側端部が一方側端部の形状に対応した形状に形成されている。
【００１４】
第７の態様は、第１〜第６のいずれか一態様に係る光ケーブル曲げ支持部材であって、前記固定部は、前記第１引掛部から、前記連結方向一方側に向けて延出する板状に形成されている。
【発明の効果】
【００１５】
第１の態様に係る光ケーブル曲げ支持部材によると、第１連結部と第２連結部とが、第１曲げ部材と第２曲げ部材とを連結方向に位置調節可能に連結可能に形成されている。このため、それぞれに引掛けられた光ケーブルの弛みを抑制するように第１引掛部と第２引掛部との間隔を調節することができる。この状態で、第１曲げ部材の固定部をワイヤーハーネスに固定することより、複数の光ケーブルをより確実に曲げ状態でワイヤーハーネスに支持することができる。
【００１６】
第２の態様に係る光ケーブル曲げ規制部材によると、第１連結部及び第２連結部の一方が連結方向に並ぶ複数の被係止部を有し、他方が複数の被係止部に対して選択的に係止可能な係止部を有している。このように、係止部が複数の被係止部に対して選択的に係止可能に形成されているため、第１曲げ部材及び第２曲げ部材に引掛けられる各光ケーブルの弛みが抑制される位置で、係止部を複数の被係止部の一つに係止させることにより、複数の光ケーブルをより確実に曲げ状態に維持することができる。
【００１７】
第３の態様に係る光ケーブル曲げ支持部材によると、第２引掛部から連結方向一方側に延出するように形成された第２連結部が、第１引掛部の第１案内部内に挿入された状態で、第１連結部と第２連結部とが連結可能に形成されている。これにより、第１曲げ部材及び第２曲げ部材の連結形態をよりコンパクトにすることができると共に、連結状態をより確実に維持することができる。
【００１８】
第４の態様に係る光ケーブル曲げ支持部材によると、第１引掛部は、連結方向において、他方側端部が第２引掛部の一方側端部の形状に対応した形状に形成されているため、第１曲げ部材及び第２曲げ部材を連結方向により近接させて連結することができ、連結形態をコンパクトにできると共に連結方向の位置調節の幅を大きくすることができる。
【００１９】
第５の態様に係る光ケーブル曲げ支持部材によると、複数の第２曲げ部材が、複数の第２曲げ部材のうちの１つと他の１つとを連結方向に位置調節可能に、第２連結部と連結可能に形成されている第３連結部を有している。このため、光ケーブルを引掛けた複数の第２曲げ部材の第２引掛部同士の間隔を調節して、３本以上の複数の光ケーブルを弛みを抑制して曲げ状態に維持することができる。
【００２０】
第６の態様に係る光ケーブル曲げ支持部材によると、第２引掛部は、連結方向において、他方側端部が一方側端部の形状に対応した形状に形成されているため、複数の第２曲げ部材を連結方向により近接させて連結することができ、連結形態をコンパクトにできると共に連結方向の位置調節の幅を大きくすることができる。
【００２１】
第７の態様に係る光ケーブル曲げ支持部材によると、固定部が、第１引掛部から連結方向一方側に向けて延出する板状に形成されているため、固定部をワイヤーハーネスと一緒にテープ巻き等して固定することにより、複数の光ケーブルを容易にワイヤーハーネスに支持することができる。
【図面の簡単な説明】
【００２２】
【図１】光ケーブル曲げ支持部材の概略斜視図である。
【図２】光ケーブル曲げ支持部材の平面図である。
【図３】図２のＩＩＩ−ＩＩＩ線断面図である。
【図４】第１曲げ部材と第２曲げ部材とを近接させた状態の光ケーブル曲げ支持部材の平面図である。
【図５】図４のＶ−Ｖ線断面図である。
【図６】変形例に係る光ケーブル曲げ支持部材の平面図である。
【図７】図６のＶＩＩ−ＶＩＩ線断面図である。
【発明を実施するための形態】
【００２３】
以下、実施形態に係る光ケーブル曲げ支持部材１０について説明する（図１参照）。この光ケーブル曲げ支持部材１０は、複数の光ケーブル２を曲げた状態でワイヤーハーネスＷＨに支持するための部材である。
【００２４】
＜光ケーブルについて＞
説明の便宜上、光ケーブル曲げ支持部材１０が支持対象とする光ケーブル２について説明する。ここでは、自動車に搭載される電気機器等の信号伝送用に用いられる光ケーブル２を対象としている。この光ケーブル２は、自動車に敷設されるワイヤーハーネスＷＨと一緒に組立図板上で配索経路に配索される。そして、光ケーブル２は、ワイヤーハーネスＷＨの配索経路上で折り返し（Ｕターン）等されて、曲げ状態で固定されることもある。また、１本の光ケーブル２の曲げ位置とほぼ同じ位置で、他の光ケーブル２が曲げられることもある。ここでは、２本の光ケーブル２を曲げ対象とする例で説明する。すなわち、光ケーブル曲げ支持部材１０により、ワイヤーハーネスＷＨの配索経路上の位置で、複数の光ケーブル２を曲げ状態で支持する。
【００２５】
光ケーブル２には、内部の光ファイバの伝送損失の抑制及び曲げ破断防止のため、最小許容曲げ半径が設定されている。ここで、最小許容曲げ半径は、曲げ半径が小さくなるのに伴って大きくなる光ファイバの伝送損失及び破断確率が光ケーブル２の使用に耐え得ると想定される限界の曲げ半径として設定されるものである。より具体的には、伝送損失（曲げ損失）は、例えば、ある曲げ半径でｎ周巻かれた光ケーブル２に対して、ある波長Ｌの光信号を入射させたときの損失の度合い（ｄＢ）で評価される。また、破断確率は、例えば、ある曲げ半径でｍ周巻かれた光ケーブル２のｔ年後の破断する確率で評価される（例えば、加速試験が行われるとよい）。そして、最小許容曲げ半径は、伝送損失及び破断確率の両評価値が、実際の使用状況に応じて決定される基準を満たすように設定される。例えば、伝送損失が、ある曲げ半径ｒで１００周巻かれた光ケーブル２に対して波長１５５０ｎｍの光信号を入射させたときの損失の度合い（ｄＢ）で、破断確率が、ある曲げ半径ｒで５０周巻かれた光ケーブル２の１５年後の破断する確率で評価されるとよい。この場合、たとえば、最小許容曲げ半径は、伝送損失が０．５ｄＢ／１００周以下で、且つ、破断確率が１．０×１０-6以下となるような曲げ半径ｒとすることができる。なお、曲げ半径とは、光ケーブル２の中心軸の曲率半径のことを言うものとする。ここでは、光ファイバとして、プラスチックより速い通信速度で信号伝達が可能な石英ガラスを使用したものを採用しているため、プラスチック製のものと比較して曲げ破断しやすい。
【００２６】
また、複数の光ケーブル２は、曲げ位置における曲げ経路がそれぞれ予め設定されると共に、この曲げ経路に配索されるのに必要な最小寸法がそれぞれ設定されている。そして、複数の光ケーブル２は、配索時の取り回しによる長さ不足の回避、又は、光コネクタの接続作業等のやり直し保障のため、実寸法が最小寸法より小さくならないように、最小寸法より大きい基準寸法を基準として寸法公差が設定されて製造される。このため、複数の光ケーブル２は、予め設定された曲げ経路に対する余長がそれぞれ異なってしまうことがある。なお、ここで言う余長とは、各光ケーブル２にそれぞれ予め設定された曲げ経路より長い分の寸法である。そして、余長差を有する複数の光ケーブル２をワイヤーハーネスＷＨの配索経路上のほぼ同じ位置で曲げる場合、１本の光ケーブル２を基準として曲げると、複数の光ケーブル２全てを相対的に一定の曲げ経路で曲げることは困難である。
【００２７】
そこで、本光ケーブル曲げ支持部材１０では、複数の光ケーブル２を曲げる各部材を位置調節可能に連結して、複数の光ケーブル２を曲げ状態でワイヤーハーネスＷＨに支持する。また、ここでは、光ケーブル曲げ支持部材１０により、複数の光ケーブル２を折り返し（Ｕターン）させた曲げ状態で、ワイヤーハーネスＷＨに支持する例で説明する。
【００２８】
＜光ケーブル曲げ支持部材について＞
本光ケーブル曲げ支持部材１０は、第１曲げ部材２０と、第２曲げ部材４０とを有している。ここでは、第１曲げ部材２０と１つの第２曲げ部材４０とが連結されて構成されている光ケーブル曲げ支持部材１０について説明する。
【００２９】
第１曲げ部材２０は、第１引掛部２２と、固定部２８と、第１連結部３６とを有している。なお、第１連結部３６については、第２曲げ部材４０の第２連結部５２及び第３連結部５６の説明と共に後述する。
【００３０】
第１引掛部２２は、複数の光ケーブル２のうちの１本を曲げた状態で引掛け可能な第１引掛面２５を有している。この第１引掛部２２は、本体部２４と、一対のガイド部２６、２７とを有している。
【００３１】
より具体的には、第１引掛部２２は、平面視において、円形の一部が内周側に向けて凹となる弧状に切り欠かれた形状に形成されている（図２参照）。ここでは、第１引掛部２２は、平面視において線対称に形成されており、当該線（図２の一点鎖線）の延在方向を連結方向Ｃという。また、第１引掛部２２のうち、連結方向Ｃにおいて、切り欠かれた弧状の端部を他方側端部といい、その反対側の端部を一方側端部という。そして、この第１引掛部２２の連結方向Ｃ他方側端部の上記形状は、後述する第２曲げ部材４０の第２引掛部４２の連結方向Ｃ一方側端部の形状に対応した形状である。
【００３２】
本体部２４は、平面視において円形の一部が弧状に切り欠かれた形状の扁平な柱状に形成され、そのうち外周側に凸となる外周面が第１引掛面２５である。この第１引掛面２５は、光ケーブル２が引掛けられた状態で、光ケーブル２を、予め設定された最小許容曲げ半径を確保して曲げ可能な曲率半径に設定されている。ここでは、第１引掛面２５の曲率半径は、引掛けられる光ケーブル２が最小許容曲げ半径で曲げられるように、光ケーブル２の最小許容曲げ半径より光ケーブル２の半径分小さい寸法に設定されている。もっとも、第１引掛面２５は、上記曲率半径のものに限られず、光ケーブル２を最小許容曲げ半径より大きい曲げ半径で引掛けることができるような曲率半径に設定されていてもよい。また、本体部２４の厚さ寸法（軸方向の寸法）は、支持対象となる光ケーブル２の直径より大きく（ここでは僅かに大きく）設定されている。
【００３３】
もっとも、第１引掛面２５は、平面視において、一定の曲率半径の円弧状である必要はなく、各部が最小許容曲げ半径以上の曲率半径に設定されていれば、楕円に沿った弧状であってもよい。さらに、第１引掛面２５は、例えば、引掛けられる光ケーブル２の外周面に沿うように内周側に凹となる断面視弧状の凹状周面であってもよい。
【００３４】
一対のガイド部２６、２７は、第１引掛面２５に引掛けられる光ケーブル２を、本体部２４の軸方向に位置規制する、すなわち、第１引掛面２５に引っ掛けられた状態を維持する部分である（図３参照）。この一対のガイド部２６、２７は、平面視円形の一部が切り欠かれた形状の板状に形成され、外周側に凸となる弧状の周縁部（以下、凸状周縁部）の曲率中心を第１引掛面２５の曲率中心と一致させる形態で、本体部２４を挟むように設けられている。より具体的には、一対のガイド部２６、２７は、平面視において、凸状周縁部が第１引掛面２５より大きい曲率半径に設定されている。好ましくは、一対のガイド部２６、２７の凸状周縁部は、第１引掛部２５の曲率半径より光ケーブル２の半径以上の寸法分大きい曲率半径に設定されているとよい。すなわち、一対のガイド部２６、２７は、第１引掛面２５に光ケーブル２を引掛けた状態で、平面視において、凸状周縁部が光ケーブル２の中心軸を挟むように本体部２４より外周側に張り出しているとよい。そして、光ケーブル２は、本体部２４の軸方向一端側で一方のガイド部２６により位置規制され、他端側で他方のガイド部２７により位置規制される。
【００３５】
なお、一対のガイド部２６、２７は、第１引掛面２５光ケーブル２が第１引掛面２５に引掛けられた状態を維持可能であればよく、凸状周縁部が円弧に沿って延在する形状に限られない。すなわち、一対のガイド部は、第１引掛面２５に対してその外周側に張り出すように形成されているとよく、周方向において断続的に外周側に延出する形状に形成されていてもよい。
【００３６】
上記本体部２４と一対のガイド部２６、２７とは、第１引掛部２２の他方側端部で、連結方向Ｃ他方を向く平面視弧状の一端面を成している。
【００３７】
固定部２８は、ワイヤーハーネスＷＨに固定可能に形成されている部分である（図１参照）。すなわち、固定部２８は、第１引掛部２２及び第１連結部３６をワイヤーハーネスＷＨに対して支持可能である。
【００３８】
この固定部２８は、第１引掛部２２（ここでは、一方のガイド部２６の一方側端部）から連結方向Ｃ一方側に向けて延出する板状に形成されている。より具体的には、固定部２８は、本体部２４の軸方向に直交する方向に沿って扁平な板状である。そして、第１引掛部２０の一方のガイド部２６及び固定部２８は、一続きの板状の部分を成している。また、固定部２８は、その先端部に抜止め部２９を有している。この抜止め部２９は、固定部２８の先端部から、固定部２８の延出方向（連結方向Ｃ）に略直交する向きに突出し、先端部に沿った凸条に形成されている。
【００３９】
そして、この固定部２８を、延出方向がワイヤーハーネスＷＨの延在方向に沿う姿勢でワイヤーハーネスＷＨに重ねた状態で、ワイヤーハーネスＷＨと一緒にテープＴを巻付け、タイバンドを締め付け等（ここではテープＴを巻付け）して固定することにより、第１引掛部２２及び第１連結部３６をワイヤーハーネスＷＨに対して支持することができる。なお、テープＴの巻付け、タイバンドの締め付け等は、固定部２８のうち、抜止め部２９より基端側の部分で行う。これにより、固定部２８がテープＴ等とワイヤーハーネスＷＨとの間から抜出そうとしても、抜止め部２９がテープＴ等に引掛かって抜出しが抑制される。
【００４０】
第２曲げ部材４０は、複数の光ケーブル２のうち第１引掛部２２に引掛けられる光ケーブル２とは別の光ケーブル２を曲げ状態で支持するための部材である。この第２曲げ部材４０は、第２引掛部４２と、第２連結部５２と、第３連結部５６とを有している（図２、図３参照）。
【００４１】
第２引掛部４２は、複数の光ケーブル２のうちの他の１本を曲げた状態で引掛け可能な第２引掛面４５を有する部分である。より具体的には、第２引掛部４２は、本体部４４と、一対のガイド部４６、４７とを有している。この第２引掛部４２は、第１引掛部２２と同形状に形成されている。そして、この第２引掛部４２の連結方向Ｃ他方側端部は、第２引掛部４２（及び別の第２曲げ部材１４０の第２引掛部１４２）の連結方向Ｃ一方側端部に対応した形状に形成されている（図２参照）。ここで、第２引掛部４２の連結方向Ｃ一方側端部に対応した形状とは、当該一方側端部に沿って接触可能な形状である。より具体的には、一対のガイド部２６、２７の他方側端縁部全体に対して、一対のガイド部４６、４７の凸状周縁部の一部が当接可能である。また、上述したように、第１引掛部２２の連結方向Ｃ他方側端部は、第２引掛部４２の連結方向Ｃ一方側端部に対応した形状であり、当該一方側端部に沿って接触可能な形状である。つまり、第１引掛部２２及び第２引掛部４２の連結方向Ｃ他方側端部は、平面視において、一対のガイド部４６、４７の凸状周縁部の曲率半径と略同じ曲率半径の凹となる弧状に形成されている。
【００４２】
もっとも、第２引掛部４２は、第１引掛部２２と同形状に形成されている必要はなく、光ケーブル２を最小許容曲げ半径を確保して引掛可能であればよい。例えば、第２引掛面４５が、第１引掛面２５と異なる曲率半径に設定されていてもよい。
【００４３】
第１曲げ部材２０と第２曲げ部材４０とは、位置調節可能に連結可能に構成されている。より具体的には、第１曲げ部材２０の第１連結部３６と第２曲げ部材４０の第２連結部５２とが、第１曲げ部材２０と第２曲げ部材４０とを連結方向Ｃに位置調節可能に連結可能に形成されている。また、第２曲げ部材４０の第３連結部５６は、第２曲げ部材４０と別の第２曲げ部材１４０とを連結方向Ｃに位置調節可能に、別の第２曲げ部材１４０の第２連結部１５２と連結可能に形成されている（図２、図３参照）。
【００４４】
第２連結部５２は、第２引掛部４２から連結方向Ｃ一方側に延出する挿入部５２ａに、複数の被係止部５２ｂが連結方向Ｃ（延出方向）に並ぶように設けられた形状の部分である。この挿入部５２ａは、一方のガイド部４６の連結方向Ｃ一方側端部から延出する長尺な板状に形成されている。より具体的には、挿入部５２ａは、本体部４４の軸方向に直交する方向に扁平な板状である。
【００４５】
被係止部５２ｂは、挿入部５２ａの一主面で開口する凹部であり、ここでは、連結方向Ｃに略直交する方向に長尺な長方形状に開口している。また、被係止部５２ｂは、連結方向Ｃ他方側から一方側に向けて徐々に深さ寸法が大きくなるように形成されている。すなわち、被係止部５２ｂは、連結方向Ｃに直交し、且つ、連結方向Ｃ他方側に向かう被係止面を有している。そして、複数の被係止部５２ｂは、全体として、断面視鋸刃形状を成している（図３参照）。
【００４６】
ここで、第１曲げ部材２０と第２曲げ部材４０と、又は、第２曲げ部材４０と別の第２曲げ部材４０との連結に係る第１引掛部２２及び第２引掛部４２の形状について説明しておく。
【００４７】
第１引掛部２２には、第２曲げ部材４０の第２連結部５２の挿入部５２ａを挿入可能な第１案内部３８が形成されている。より具体的には、第１案内部３８は、挿入部５２ａの断面形状より大きく（ここでは僅かに大きく）開口し、連結方向Ｃに沿って延在するように形成されている。そして、この第１案内部３８は、挿入される第２連結部５２に対して内側面が接触することにより、第２連結部５２を連結方向Ｃに案内可能である。
【００４８】
ここでは、第１引掛部２２には、両端面（一対のガイド部２６、２７の各端面）で開口する第１貫通孔部３９が形成されている。そして、第１案内部３８は、この第１貫通孔部３９の内側を連結方向Ｃに横切るように形成されている。より具体的には、第１案内部３８は、連結方向Ｃに沿って開口側端部から奥側端部に亘って延在する一対の対向する案内面を有している。ここでは、第１案内部３８の一対の案内面は、第２連結部５２の挿入部５２ａを幅方向に挟むように対向して延在している。これにより、第２連結部５２は、第１貫通孔部３９の内側においても案内された状態で挿入可能である。
【００４９】
なお、第１貫通孔部３９は、平面視において、本体部２４（一対のガイド部２６、２７）と略相似形状で本体部２４より小さい外形状に開口するように形成されている。
【００５０】
また、第２引掛部４２には、別の第２曲げ部材１４０の第２連結部１５２を挿入可能な第２案内部５８が形成されている。当該第２案内部５８は、第１案内部３８と同形状に形成されている。また、第２引掛部４２には、第１貫通孔部３９と同形状の第２貫通孔部５９が形成されている。
【００５１】
第１連結部３６は、第２連結部５２の複数の被係止部５２ｂに対して選択的に係止可能な第１係止部３６ｂを有している。この第１係止部３６ｂは、第１引掛部２２の第１案内部３８内に突出するように設けられている。すなわち、第１係止部３６ｂは、第１案内部３８内に挿入される挿入部５２ａに形成された複数の被係止部５２ｂに対して選択的に係止可能である。
【００５２】
より具体的には、第１連結部３６は、第１貫通孔部３９の内壁部から突出する弾性変形片３６ａの先端部から第１係止部３６ｂが第１案内部３８内に突出する形状に形成されている。弾性変形片３６ａは、第１貫通孔部３９の内壁部のうち、第１案内部３８の側方（ここでは他方のガイド部２７側）で且つ連結方向Ｃ他方側の部分から一方側に向けて突出するように形成されている。この弾性変形片３６ａは、先端部が自由端とされ、一対のガイド部２６、２７を結ぶ方向に首振りするように弾性変形可能になっている。また、第１係止部３６ｂは、弾性変形片３６ａの先端部から、一方のガイド部２６側に突出している。この第１係止部３６ｂは、連結方向Ｃ他方側から一方側に向けて徐々に突出寸法が大きくなるように形成されている。すなわち、第１係止部３６ｂは、連結方向Ｃに直交し、且つ、連結方向Ｃ一方側に向かう係止面を有している。この第１係止部３６ｂは、被係止部５２ｂの形状に対応した形状であり、被係止部５２ｂ内に配設された状態で係止面が被係止面に当接する。また、ここでは、第１連結部３６は、２つの第１係止部３６ｂが、弾性変形片３６ａの先端部に、複数の被係止部５２ｂに対応した間隔で連結方向Ｃに並んで設けられて構成されている（図３参照）。
【００５３】
そして、第１連結部３６ｂは、外力が加えられない状態では、第１係止部３６ｂが第１貫通孔部３９内で第１案内部３８内に突出している。また、第１案内部３８内に第２連結部５２が挿入されると、挿入部５２ａが第１係止部３６ｂに押圧されて弾性変形片３６ａが他方のガイド部２７側に押し上げられる。そして、第１係止部３６ｂが複数の被係止部５２ｂに対向する位置まで第２連結部５２が挿入されると、第１係止部３６ｂが対応する被係止部５２ｂ内に進入して係止する。そして、第１曲げ部材２０と第２曲げ部材４０とが、第１引掛部２２に引掛けられた光ケーブル２及び第２引掛部４２に引掛けられた光ケーブル２がなるべく弛みなく支持される位置関係となる位置の被係止部５２ｂに対して、第１係止部３６ｂを係止させる。
【００５４】
第３連結部５６は、第２連結部５２の複数の被係止部５２ｂに対して選択的に係止可能な第２係止部５６ｂを有している。この第３連結部５６は、第１連結部３６と同形状に形成されている。すなわち、第３連結部５６は、第２貫通孔部５９の連結方向Ｃ他方側壁部から突出する弾性変形片５６ａの先端部から第２案内部３８内に突出するように第２係止部５６ｂが設けられている形状である。
【００５５】
この光ケーブル曲げ支持部材１０は、第１曲げ部材２０と第２曲げ部材４０とがそれぞれ合成樹脂等が射出成型等されることにより一体に形成され、連結されて構成されるとよい。
【００５６】
ここで、光ケーブル曲げ支持部材１０により、ワイヤーハーネスＷＨに複数（ここでは２本）の光ケーブル２を曲げ状態で支持する作業の工程を説明する。まず、第１曲げ部材２０の第１引掛部２２に１本の光ケーブル２を引掛ける。また、第１引掛部２２に引っ掛けたのと別の光ケーブル２を第２曲げ部材４０の第２引掛部４２に引掛ける。
【００５７】
そして、第１曲げ部材２０と第２曲げ部材４０とを連結する（図２、図３参照）。すなわち、第２連結部５２を第１案内部３８内に挿入して、第１係止部３６ｂを複数の被係止部５２ｂに選択的に係止させる。ここで、第１引掛部２２に引掛けた光ケーブル２がなるべく弛みなく配索される位置で、固定部２８をワイヤーハーネスＷＨにテープＴ巻きして固定する（図１参照）。
【００５８】
次に、第２引掛部４２を第１引掛部２２に近接させるように、第２曲げ部材４０を移動させる（図４、図５参照）。すなわち、第１曲げ部材２０と第２曲げ部材４０とが、第２引掛部４２に引掛けられた光ケーブル２がなるべく弛みなく配索される位置関係となる位置で、第１係止部３６ｂを被係止部５２ｂに係止させる。
【００５９】
これにより、２本の光ケーブル２を、弛みを抑制して曲げ状態でワイヤーハーネスＷＨに支持することができる。なお、２本の光ケーブル２は、光ケーブル曲げ支持部材１０の連結方向Ｃ他方側で、ワイヤーハーネスＷＨと一緒にテープＴ巻きされるとよい（図１参照）。
【００６０】
もっとも、第１曲げ部材２０と第２曲げ部材４０とは、各光ケーブル２を第１引掛部２２及び第２引掛部４２に引掛ける前に、又は、固定部２８をワイヤーハーネスＷＨに固定した後に連結してもよい。また、第１引掛部２２と第２引掛部４２との位置調節は、各光ケーブル２を引掛けた状態で、固定部２８をワイヤーハーネスＷＨに固定する前に行ってもよい。
【００６１】
図４、図５では、第１曲げ部材２０と第２曲げ部材４０とを近接させて連結した状態で、第１引掛部２２と第２引掛部４２とが間隔をあけて位置する例を示しているが、第１引掛部２２の他方側端部と第２引掛部４２の一方側端部とが当接する位置まで近接可能に連結されてもよい。すなわち、第１案内部３８が、第２連結部５２をより奥まで挿入可能なように深く形成されると共に、第２連結部５２のうち、第１引掛部２２と第２引掛部４２とが当接する位置で第１係止部３４が対向する位置にも、被係止部５２ｂが形成されていればよい。
【００６２】
また、第１引掛部２２及び第２引掛部４２は、連結方向Ｃ他方側端部が第２引掛部４２、１４２のうち連結方向Ｃ一方側端部に対応した形状に形成されている場合に限られない。すなわち、第１引掛部２２及び第２引掛部４２は、例えば、それぞれ平面視円形に形成されていてもよい。
【００６３】
また、これまで、第１連結部３６が第１係止部３６ｂを有し、第２連結部５２が複数の被係止部５２ｂを有し、第３連結部５６が第２係止部５６ｂを有する例で説明したが、これに限られるものではない。すなわち、第１連結部３６、第２連結部５２及び第３連結部５６の構成は、第１曲げ部材２０及び第２曲げ部材４０（及び別の第２曲げ部材１４０）を連結方向Ｃに位置調節可能に連結可能であればよい。
【００６４】
例えば、第１連結部が第１引掛部２２から連結方向Ｃ他方側に延出すると共に複数の被係止部を有し、第２引掛部に第１連結部を挿入可能な案内部が形成され、第２連結部が案内部内に挿入される第１連結部の複数の被係止部に選択的に係止可能な係止部を有していてもよい。この場合、第３連結部は、第２引掛部４２から連結方向Ｃ他方側に延出すると共に複数の被係止部を有しているとよい。
【００６５】
また、第１連結部が第１案内部内に開口する複数の被係止部を有し、第２連結部が、挿入部の一主面に第１連結部の複数の被係止部に選択的に係止可能な係止部が形成された形状であってもよい。この場合、第３連結部は、第２案内部内に開口する複数の被係止部を有しているとよい。
【００６６】
また、第１係止部及び第２係止部が凸状に形成され、複数の被係止部が凹状に形成される場合に限られず、凹凸関係が逆であってもよい。
【００６７】
光ケーブル曲げ支持部材は、第１曲げ部材２０と複数の第２曲げ部材とを備える構成であってもよい。図６、図７には、第１曲げ部材２０と、第２曲げ部材４０と、別の第２曲げ部材１４０とを有する光ケーブル曲げ支持部材１００を示している。別の第２曲げ部材１４０は、第２曲げ部材４０と同様の形状の部材である。すなわち、別の第２曲げ部材１４０を第２曲げ部材４０に連結する例で説明すると、当該別の第２曲げ部材１４０は、光ケーブル２を引掛可能な第２引掛部１４２と、第３連結部５６の第２係止部５６ｂが係止可能な複数の被係止部１５２ｂを有する第２連結部１５２と、さらに別の第２曲げ部材の第２連結部の複数の被係止部に選択的に係止可能な第２係止部１５６ｂを有する第３連結部１５６とを有している。
【００６８】
この第２曲げ部材は、曲げられる光ケーブル２の本数に対応した個数設けられるとよく、３以上の複数個設けられてもよい。なお、上述したように、第２曲げ部材４０を１つだけ有する光ケーブル曲げ支持部材１０の場合、第２曲げ部材４０の第３連結部５６は省略されてもよい。
【００６９】
上記構成に係る光ケーブル曲げ支持部材１０によると、第１連結部３６と第２連結部５２とが、第１曲げ部材２０と第２曲げ部材４０とを連結方向Ｃに位置調節可能に連結可能に形成されていると共に、第３連結部５６が、第２曲げ部材４０と別の第２曲げ部材１４０とを連結方向Ｃに位置調節可能に別の第２曲げ部材１４０の第２連結部５２と連結可能に形成されている。このため、それぞれに引掛けられた光ケーブル２の弛みを抑制するように第１引掛部２２と第２引掛部４２との連結方向の間隔を調節することができる。さらに、光ケーブル２を引掛けた第２曲げ部材４０と別の第２曲げ部材１４０との連結方向Ｃの位置を調節することにより、３本以上の複数の光ケーブル２を弛みを抑制して曲げ状態に維持することができる。この状態で、第１曲げ部材２０の固定部２８をワイヤーハーネスに固定することより、複数の光ケーブル２をより確実に曲げ状態でワイヤーハーネスＷＨに支持することができる。
【００７０】
また、第１曲げ部材２０及び第２曲げ部材４０（及び別の第２曲げ部材１４０）が連結されるため、第１曲げ部材２０を複数用いて複数の光ケーブル２を支持する場合と比較して、部品自体の大きさを小さくして材料の軽減を図れる上に、固定部２８を固定するテープＴ巻き箇所の低減により、テープＴの材料費及びテープＴ巻きの工数を削減することができる。
【００７１】
また、第２連結部５２が連結方向Ｃに並ぶ複数の被係止部５２ｂを有し、第１連結部３６が複数の被係止部５２ｂに対して選択的に係止可能な第１係止部３６ｂを有している。また、第３連結部５６は、複数の被係止部１５２ｂに対して選択的に係止可能な第２係止部５６ｂを有している。このように、第１係止部３６ｂ及び第２係止部５６ｂがそれぞれ複数の被係止部５２ｂ、１５２ｂに対して選択的に係止可能に形成されているため、第１曲げ部材２０及び第２曲げ部材４０に引掛けられる各光ケーブル２の弛みが抑制される位置で、第１係止部３６ｂ及び第２係止部５６ｂをそれぞれ複数の被係止部５２ｂの１つに係止させることにより、複数の光ケーブル２をより確実に曲げ状態に維持することができる。
【００７２】
また、第２連結部５２が第２引掛部４２から連結方向Ｃ一方側に延出するように形成され、第１連結部３６が第１引掛部２２の第１案内部３８内に挿入される第２連結部５２に連結可能に形成されている。また、第３連結部５６は、第２引掛部４２の第２案内部５８内に挿入される別の第２曲げ部材１４０の第２連結部５２に連結可能である。このように、第２連結部５２又は１５２が、第１案内部３８又は第２案内部５８内に挿入された状態で第１連結部３６又は第３連結部５６に連結される。これにより、第１曲げ部材２０及び第２曲げ部材４０の連結形態で連結方向Ｃ他方へ突出する構成を省略してよりコンパクトにすることができると共に、第１係止部３６又は第２係止部５６が被係止部５２ｂ又は１５２ｂに係止した連結状態をより確実に維持することができる。
【００７３】
また、第１引掛部２２及び第２引掛部４２、１４２は、連結方向Ｃ他方側端部が、第２引掛部４２、１４２のうち連結方向Ｃ一方側端部の形状に対応した形状に形成されているため、第１曲げ部材２０、第２曲げ部材４０及び別の第２曲げ部材１４０を連結方向Ｃにより近接させて連結することができ、連結形態をコンパクトにできると共に連結方向Ｃの位置調節の幅を大きくすることができる。
【００７４】
また、固定部２８が、第１引掛部２２から連結方向Ｃ一方側に向けて延出する板状に形成されているため、固定部２８をワイヤーハーネスＷＨと一緒にテープＴ巻き等して固定することにより、光ケーブル２を容易にワイヤーハーネスＷＨに支持することができる。
【符号の説明】
【００７５】
２  光ケーブル
１０、１００  光ケーブル曲げ支持部材
２０  第１曲げ部材
２２  第１引掛部
２５  第１引掛面
２８  固定部
３６  第１連結部
３６ｂ  第１係止部
３８  第１案内部
４０、１４０  第２曲げ部材
４２、１４２  第２引掛部
４５  第２引掛面
５２、１５２  第２連結部
５２ｂ、１５２ｂ  被係止部
５６、１５６  第３連結部
５６ｂ、１５６ｂ  第２係止部
Ｃ  連結方向
ＷＨ  ワイヤーハーネス
【図１】
2012145801.tif 000003
【図２】
2012145801.tif 000004
【図３】
2012145801.tif 000005
【図４】
2012145801.tif 000006
【図５】
2012145801.tif 000007
【図６】
2012145801.tif 000008
【図７】
2012145801.tif 000009